【手続補正書】
【提出日】平成16年3月8日(2004.3.8)
【手続補正１】
【補正対象書類名】特許請求の範囲
【補正対象項目名】全文
【補正方法】変更
【補正の内容】
【特許請求の範囲】
【請求項１】
商品の電子カタログと、
該商品の電子カタログへのオンラインアクセスを提供し、前記電子カタログから商品を購入する機能をユーザーへ提供するサーバーシステムと、
を備え、
前記サーバーシステムは、購入商品を選択する選択肢をユーザーに提供する電子カタログのページに、ユーザーが行った関連注文についての情報を追加することによって、ユーザーによる前記ページへの要求に応答し、それによって、ユーザーに、電子カタログをブラウズしている間に関連注文についてのコンテキスト更新情報が表示され、前記コンテキスト更新情報は、ユーザーが注文履歴情報を明示的に要求する必要なしに表示される電子カタログシステム。
【請求項２】
前記サーバーシステムは、ユーザーが以前に行った商品注文についての情報を商品詳細ページに追加することによって、ユーザーによる前記詳細ページへの要求に応答する請求項１に記載のオンラインストアシステム。
【請求項３】
前記サーバーシステムは、ユーザーにより以前に注文され第１の商品に関連する第２の商品の注文についての情報を前記第１の商品の詳細ページに追加することによって、ユーザーによる第１の商品の詳細ページへの要求に応答する請求項１に記載のオンラインストアシステム。
【請求項４】
前記サーバーシステムは、特定の商品カテゴリーと関連付けられたカテゴリーページに、前記商品カテゴリーの範囲内に入る以前の商品注文についての情報を追加することによって、ユーザーによるカテゴリーページへの要求に応答する請求項１に記載のオンラインストアシステム。
【請求項５】
ユーザーごとに商品の電子カタログをカスタマイズするコンピュータ実行方法であって、該方法は、
購入に利用可能な商品の電子カタログへのオンラインアクセスを提供するステップと、
オンラインユーザーから、電子カタログの一部分、すなわち電子カタログ内に表示された商品のサブセットに対応するとともに購入商品を選択する機能を提供する部分への要求を受信するステップと、
ユーザーにより以前に注文され商品のサブセットに関連する関連注文を特定するステップと、
前記関連注文についての情報を有する電子カタログの一部分を追加するステップと、
ユーザーへの表示のための前記関連注文についての情報が追加された、前記電子カタログの一部分に戻るステップと、を含み、
以前の注文についての情報が、ユーザーが注文履歴情報を明示的に要求する必要なしに電子カタログのブラウズ中にユーザーへコンテキスト表示される、コンピュータ実行方法。
【請求項６】
電子カタログの一部分を追加するステップは、前記関連注文の現在の状況についての情報を有する部分を追加することを含む請求項５に記載の方法。
【請求項７】
前記一部分は、第１の商品の商品詳細ページである請求項５に記載の方法。
【請求項８】
前記関連注文は、ユーザーが以前に行った前記第１の商品の注文である請求項７に記載の方法。
【請求項９】
前記関連注文は、ユーザーが以前に行い前記第１の商品に関連する第２の商品の注文である請求項７に記載の方法。
【請求項１０】
電子カタログ部分を追加するステップは、内部に表示された商品と、そのユーザーが以前に購入した関連商品とが不適合であるという表示を前記一部分の中に含めることを含む請求項５に記載の方法。
【請求項１１】
前記一部分は、商品カテゴリーに相当する請求項５に記載の方法。
【請求項１２】
前記関連注文を特定するステップは、前記カテゴリーの範囲内に入る商品の注文を特定することを含む請求項１１に記載の方法。
【請求項１３】
前記一部分は、商品の注文を開始する選択肢を提供する請求項５に記載の方法。
【請求項１４】
前記一部分は、ウェブページである請求項５に記載の方法。
【請求項１５】
前記一部分は、ユーザーへの音響出力に適合させた音声ＸＭＬページである請求項５に記載の方法。
【請求項１６】
前記商品のサブセットに関連した前記少なくとも１つの追加注文についての情報を有する一部分を追加するステップをさらに含む請求項５に記載の方法。
【請求項１７】
請求項５に記載の方法による、ユーザーごとに商品の電子カタログをカスタマイズするサーバーシステム。
【請求項１８】
請求項５に記載の方法を実施するコンピュータプログラムであって、コンピュータによる読み出しが可能な媒体内に表示されるコンピュータプログラム。
【請求項１９】
ユーザーにアカウント特有情報を提供するコンピュータ実行方法であって、該方法は、
特定の商品についての詳細情報を表示するとともにこのような購入商品を選択するコントロールを提供する商品詳細ページに、ユーザーがナビゲートすることが可能な、商品の電子カタログへのオンラインアクセスを提供するステップと、
ユーザーが電子カタログ内の商品を注文したことを示すユーザー特有の注文履歴を管理するステップと、
ユーザーが以前に注文した第１の商品の商品詳細ページへの要求をユーザーから受信するステップと、
前記要求に応答して、ユーザーが前記第１の商品を以前に注文しているという少なくとも１つの表示を商品詳細ページに追加するステップと、
を含むコンピュータ実行方法。
【請求項２０】
前記商品詳細ページに追加するステップは、前記第１の商品の注文の現在の状況についての情報を前記商品詳細ページ内に表示することを含む請求項１９に記載の方法。
【請求項２１】
前記商品詳細ページに追加するステップは、前記注文の配送状況を確認する選択肢をユーザーに表示することをさらに含む請求項２０に記載の方法。
【請求項２２】
前記商品詳細ページに追加するステップは、前記注文をキャンセルまたは変更する選択肢をユーザーに表示することをさらに含む請求項２０に記載の方法。
【請求項２３】
ユーザーによる、前記第１の商品に関連した商品の注文についての情報を前記商品詳細ページに追加することをさらに含む請求項１９に記載の方法。
【請求項２４】
ユーザーが電子カタログ内において商品カテゴリーと関連付けられたカテゴリーページにアクセスすると、前記ユーザーによる、前記カテゴリーの範囲内に入る商品の注文についての情報を前記カテゴリーページに追加することをさらに含む請求項１９に記載の方法。
【請求項２５】
請求項１９に記載の方法による、ユーザーへのアカウント特有情報を提供するサーバーシステム。
【請求項２６】
請求項１９に記載の方法を実施するコンピュータプログラムであって、コンピュータによる読み出しが可能な媒体内に表示されるコンピュータプログラム。
【請求項２７】
商品詳細ページは、ユーザーが注文履歴情報を明示的に要求することなしに前記情報が追加される請求項１９に記載のコンピュータ実行方法。
【請求項２８】
コンピュータメモリ内に表示され、特定の商品についての情報を提供するとともにこのような購入商品を選択する機能を提供する商品詳細ページを含む商品の電子カタログと、
商品の電子カタログへのオンラインアクセスを提供するとともに、電子カタログから選択した商品を購入する機能をユーザーに提供し、該ユーザーの電子カタログ注文履歴を管理するようにプログラムされたサーバーシステムと、
を備え、
前記サーバーシステムは、（１）電子カタログの商品詳細ページ内に表示された商品に関連した注文を以前に行っているかどうかを、ユーザーが判断することによって、ならびに（２）ユーザがこのような関連注文をしている場合には、ユーザーへ表示するための関連注文についての情報を商品詳細ページに追加することによって、ユーザーからの、商品詳細ページに対する要求に応答し、これによって、前記サーバーシステムは、ユーザーが不要なまたは望ましくない商品の注文を行う可能性を低減させる電子カタログシステム。
【請求項２９】
前記サーバーシステムは、ユーザーが注文履歴情報を要求する必要なしに、関連注文についての情報を商品詳細ページに追加する請求項２８に記載の電子カタログシステム。
【請求項３０】
関連注文についての情報は、商品詳細ページ内に表示された商品が、以前にユーザーが購入した商品と適合しているかどうかについての表示を含む請求項２８に記載の電子カタログシステム。
【請求項３１】
関連注文についての情報は、ユーザーが商品詳細ページ内に表示された商品を既に購入しているという表示を含む請求項２８に記載の電子カタログシステム。
【請求項３２】
関連注文についての情報は、注文についての詳細情報を含むページへのリンクをさらに含む請求項３１に記載の電子カタログシステム。